(57)【特許請求の範囲】
【請求項１】
複数のユーザから送信された信号を受信するマルチユーザ受信装置であって、
Ｍ本（Ｍ≧２）の受信アンテナと、
Ｍ系列の入力信号に対して白色化して出力する白色化手段と、
前記白色化されたＭ系列の信号を入力し、入力信号に含まれる情報系列を抽出して出力する第一の出力部と、後段の情報系列抽出手段に対してＭ系列の信号を出力する第二の出力部を備えるＮ個（Ｎ≧２）の情報系列抽出手段と
により構成され、
前記情報系列抽出手段は、
前記入力信号から、該入力信号に含まれる情報系列を抽出するウェイトを推定するウェイト推定手段と、
前記入力信号を前記推定されたウェイトを用いて信号の分離を行う信号分離手段と、
前記信号分離手段により分離された信号から情報系列を再生し、第一の出力部へ出力する復調手段と、
前記推定されたウェイトおよび前記信号分離手段により分離された信号から、推定されたウェイトの尤度を算出し出力する尤度算出手段と、
前記入力信号を、算出された尤度に応じて、前記推定されたウェイトと平行する受信信号空間を縮小するように座標変換した上で第二の出力部へ出力する座標変換手段と
を備えることを特徴とするマルチユーザ受信装置。
【請求項２】
請求項１に記載のマルチユーザ受信装置であって、
前記尤度算出手段は、
前記信号分離手段により分離された信号の振幅歪みの平均値に基づいて尤度を算出することを特徴とするマルチユーザ受信装置。
【請求項３】
複数のユーザから送信された信号を受信するマルチユーザ受信方法であって、
Ｍ本（Ｍ≧２）の受信アンテナにより信号を受信するステップと、
Ｍ系列の入力信号に対して白色化して出力する白色化ステップと、
前記白色化されたＭ系列の信号を入力し、入力信号に含まれる情報系列を抽出して出力する第一の出力部と、後段の情報系列抽出ステップに対してＭ系列を信号を出力する第二の出力部を備えるＮ個（Ｎ≧２）の情報系列抽出ステップと
により構成され、
前記情報系列抽出ステップは、
前記入力信号から、該入力信号に含まれる情報系列を抽出するウェイトを推定するウェイト推定ステップと、
前記入力信号を前記推定されたウェイトを用いて信号の分離を行う信号分離ステップと、
前記信号分離ステップにより分離された信号から情報系列を再生し、第一の出力部へ出力する復調ステップと、
前記推定されたウェイトおよび前記信号分離ステップにより分離された信号から、推定されたウェイトの尤度を算出し出力する尤度算出ステップと、
前記入力信号を、算出された尤度に応じて、前記推定されたウェイトと平行する受信信号空間を縮小するように座標変換した上で第二の出力部へ出力する座標変換ステップと
を備えることを特徴とするマルチユーザ受信方法。
【請求項４】
請求項３に記載のマルチユーザ受信方法であって、
前記尤度算出手段は、
前記信号分離手段により分離された信号の振幅歪みの平均値に基づいて尤度を算出することを特徴とするマルチユーザ受信方法。
【発明の詳細な説明】
【技術分野】
【０００１】
本発明は、ディジタル無線通信システムにおいて、複数のアンテナを用いて同一周波数チャネルに存在する複数のユーザからの無線信号を分離受信することができるマルチユーザ受信装置およびマルチユーザ受信方法に関する。
【背景技術】
【０００２】
周波数利用効率向上のため、複数のアンテナを用いて同一周波数チャネルに存在する複数のユーザからの無線信号を分離受信するマルチユーザ検出技術が注目を集めている。複数のアンテナを用いたマルチユーザ検出では、複数のアンテナの受信信号のそれぞれに所定の重み係数を乗算し、その結果を全て合成することで特定の方向からの信号を強調し、またそれと異なる特定の方向からの信号を抑圧するアダプティブアレイと呼ばれる技術が用いられる。従って、複数のアンテナを用いたマルチユーザ検出では、複数のユーザの無線信号を分離するため、アダプティブアレイを制御する複数の重み係数（以下、ウェイト）を推定する手法が求められる。
【０００３】
ウェイト推定法は、大きく分けて、送信側で送信信号にユーザごとに独立かつ送受で互いに既知のプリアンブルを付与し、受信側ではそれを用いて推定を行う手法と、プリアンブルを用いず、受信側で未知の情報系列のみを用いて推定を行う手法がある。しかし、特にパケット通信では、付与するプリアンブルによってスループットが大きく低下してしまうといった問題や、ユーザごとに独立のプリアンブルを割り当てるために通信を行うと、その通信によってスループットがさらに低下してしまうといった問題があるため、後者の手法が有望である。後者は受信側で未知の情報系列を用いるため、ブラインド処理と呼ばれている。
【０００４】
ブラインド処理により複数のウェイトを推定する手法として、ある直交条件を課しながらＣＭＡ（Ｃｏｎｓｔａｎｔ  Ｍｏｄｕ１ｕｓ  Ａｌｇｏｒｉｔｈｍ）により順次ウェイトを推定する手法が知られている（例えば、非特許文献１）。本手法は、異なるユーザからの送信信号が無相関であるという特徴を利用し、各ユーザの理想的ウェイトによりアダプティブアレイを制御した場合の出力信号が互いに無相関になる、すなわち、受信信号をＸ０（ｔ）、ｍ番目のユーザのウェイトをｗｍとし
【０００５】
【数１】
0004545663.tif 000002
【０００６】
という拘束条件を課し、順次ＣＭＡによりウェイト推定を行うことで、複数のユーザのウェイト推定を行う。
【０００７】
図６は、複数のアンテナを用いて同一周波数チャネルに存在する複数のユーザからの無線信号をブラインド処理により分離受信する機能を持つ従来のマルチユーザ受信装置２０１の構成を示した図である。
【０００８】
図６において、マルチユーザ受信装置２０１は、アンテナ５１＿１〜５１＿Ｍと、無線部５２＿１〜５２＿Ｍと、情報系列抽出回路５４＿１〜５４＿Ｎとから構成されている。
【０００９】
情報系列抽出回路５４＿１〜５４＿Ｎは、全て同一の構成である。たとえば、ｎ段の情報系列抽出回路５４＿ｎは、図７に示すように、ウェイト推定回路６１＿ｎと、信号分離回路６２＿ｎと、復調回路６３＿ｎとから構成されている。
【００１０】
従来の技術におけるマルチユーザ受信装置２０１は、アンテナ５１＿１〜５１＿Ｍで無線信号を受信し、無線部５２＿１〜５２＿Ｍで受信した信号を周波数変換およびディジタル信号への変換を行う。無線部５２＿１〜５２＿Ｍの出力信号が多段接続された情報系列抽出回路５４＿１〜５４＿Ｎに供給される。情報系列抽出回路５４＿１〜５４＿Ｎは、全て同様の動作を行うため、以下、図７により、ｎ番目の情報系列抽出回路５４＿ｎを構成する、ウェイト推定回路６１＿ｎ、信号分離回路６２＿ｎ、復調回路６３＿ｎの動作を説明する。
【００１１】
図７において、情報系列抽出回路５４＿ｎの入力端子ＩＮ１０１には受信したディジタル信号が入力され、このディジタル信号がウェイト推定回路６１＿ｎおよび信号分離回路６２＿ｎに供給されると共に、出力端子ＯＵＴ１０２から出力される。情報系列抽出回路５４＿ｎの入力端子ＩＮ１０２には前段までに推定されたウェイトが入力される。
【００１２】
ウェイト推定回路６１＿ｎでは、入力端子ＩＮ１０２からの前段までに推定されたウェイト、すなわちウェイト推定回路６１＿１〜６１＿ｎ−１で推定されたウェイトを用いて、（１）式で示される拘束条件を課しながら、ＣＭＡ（Ｃｏｎｓｔａｎｔ  Ｍｏｄｕ１ｕｓ  Ａｌｇｏｒｉｔｈｍ）によりウェイトを推定する。推定されたウェイトは出力端子ＯＵＴ１０３から出力され、次段に送られる。信号分離回路６２＿ｎでは、ウェイト推定回路６１＿ｎで推定されたウェイトにより信号の抽出を行う。復調回路６３＿ｎでは、抽出された信号から情報系列をそれぞれ再生し、出力端子ＯＵＴ１０１から出力する。
【非特許文献１】Tuan Nguyen and Zhi Ding,"CMA beamforming for multipath correlated sources" ICASSP-97,vo.3,pp.2521-2524,2002
【発明の開示】
【発明が解決しようとする課題】
【００１３】
しかしながら、一般に、前述したＣＭＡによるウェイト推定は、用いる信号系列長が短い場合やＳＮＲ（Ｓｉｇｎａｌ  ｔｏ  Ｎｏｉｓｅ  Ｒａｔｉｏ）が低い場合などは推定精度が劣化する。前述したマルチユーザ受信装置では、（１）式で示した拘束条件の下でＣＭＡによりウェイトを推定しているが、前段のウェイト推定精度が劣化すると各々のウェイトが（１）式を満たさなくなるため、後段に推定誤差が伝搬し、後段のウェイト推定精度が大きく劣化する。その結果、アダプティブアレイの動作が不正確になり、アダプティブアレイ出力信号のＳＩＮＲ（Ｓｉｇｎａ１  ｔｏ  Ｉｎｔｅｒｆｅｒｅｎｃｅ  ｐｌｕｓ  Ｎｏｉｓｅ  Ｒａｔｉｏ）が低下し、情報系列が正しく再生される確率が減少する。
【００１４】
本発明は上記に鑑みてなされたもので、本発明の目的は、複数ユーザからの信号をブラインド処理により分離受信するマルチユーザ受信装置において、前段のウェイト推定誤差の伝搬による後段のウェイト推定精度の劣化を軽減することで、アダプティブアレイ出力信号のＳＩＮＲの低下を回避し、より多くの情報系列を抽出するマルチユーザ受信装置およびマルチユーザ受信方法を提供することにある。
【課題を解決するための手段】
【００１５】
上記課題を解決するために、本発明は、複数のユーザから送信された信号を受信するマルチユーザ受信装置であって、Ｍ本（Ｍ≧２）の受信アンテナと、Ｍ系列の入力信号に対して白色化して出力する白色化手段と、前記白色化されたＭ系列の信号を入力し、入力信号に含まれる情報系列を抽出して出力する第一の出力部と、後段の情報系列抽出手段に対してＭ系列の信号を出力する第二の出力部を備えるＮ個（Ｎ≧２）の情報系列抽出手段とにより構成され、前記情報系列抽出手段は、前記入力信号から、該入力信号に含まれる情報系列を抽出するウェイトを推定するウェイト推定手段と、前記入力信号を前記推定されたウェイトを用いて信号の分離を行う信号分離手段と、前記信号分離手段により分離された信号から情報系列を再生し、第一の出力部へ出力する復調手段と、前記推定されたウェイトおよび前記信号分離手段により分離された信号から、推定されたウェイトの尤度を算出し出力する尤度算出手段と、前記入力信号を、算出された尤度に応じて、前記推定されたウェイトと平行する受信信号空間を縮小するように座標変換した上で第二の出力部へ出力する座標変換手段とを備えることを特徴とするマルチユーザ受信装置である。
【００１６】
本発明は、上記に記載の発明のマルチユーザ受信装置であって、前記尤度算出手段は、前記信号分離手段により分離された信号の振幅歪みの平均値に基づいて尤度を算出することを特徴とする。
【００１７】
本発明は、複数のユーザから送信された信号を受信するマルチユーザ受信方法であって、Ｍ本（Ｍ≧２）の受信アンテナにより信号を受信するステップと、Ｍ系列の入力信号に対して白色化して出力する白色化ステップと、前記白色化されたＭ系列の信号を入力し、入力信号に含まれる情報系列を抽出して出力する第一の出力部と、後段の情報系列抽出ステップに対してＭ系列を信号を出力する第二の出力部を備えるＮ個（Ｎ≧２）の情報系列抽出ステップとにより構成され、前記情報系列抽出ステップは、前記入力信号から、該入力信号に含まれる情報系列を抽出するウェイトを推定するウェイト推定ステップと、前記入力信号を前記推定されたウェイトを用いて信号の分離を行う信号分離ステップと、前記信号分離ステップにより分離された信号から情報系列を再生し、第一の出力部へ出力する復調ステップと、前記推定されたウェイトおよび前記信号分離ステップにより分離された信号から、推定されたウェイトの尤度を算出し出力する尤度算出ステップと、前記入力信号を、算出された尤度に応じて、前記推定されたウェイトと平行する受信信号空間を縮小するように座標変換した上で第二の出力部へ出力する座標変換ステップとを備えることを特徴とするマルチユーザ受信方法である。
【００１８】
本発明は、上記に記載の発明のマルチユーザ受信方法であって、前記尤度算出手段は、前記信号分離手段により分離された信号の振幅歪みの平均値に基づいて尤度を算出することを特徴とする。
【発明の効果】
【００１９】
本発明によれば、白色化手段において、受信信号に対して白色化処理を行い、情報系列抽出手段において、入力信号から、入力信号に含まれる情報系列を抽出するウェイトを推定し、推定されたウェイトを用いて信号の分離を行い、分離された信号から情報系列を再生して第一の出力端子から出力すると共に、前段のウェイトと平行する受信信号空間を縮小するように座標変換を行った結果を第二の出力端子から出力し、次段の情報系列抽出手段に出力するようにしている。
これにより、前段までに推定したウェイトの尤度に応じて（１）式で示した拘束条件を緩和しながら、順次、全ユーザのウェイト推定を行うことができるため、前段のウェイトに推定誤差が生じた場合でも、後段への影響を減じ、高精度な信号分離受信を実現できる。
【発明を実施するための最良の形態】
【００２０】
以下、本発明の実施の形態について図面を参照しながら説明する。図１は、本発明の実施形態に係るマルチユーザ受信装置１０１の機能構成を示したブロック図である。
【００２１】
図１に示すように、本発明の実施形態に係るマルチユーザ受信装置１０１は、アンテナ１＿１〜１＿Ｍと、無線部２＿１〜２＿Ｍと、白色化回路３と、Ｎ（Ｎ≧２）個の多段接続された情報系列抽出回路４＿１〜４＿Ｎとから構成されている。
【００２２】
アンテナ１＿１〜１＿Ｍは、同一周波数チャネルに存在する複数のユーザからの無線信号を受信するＭ本（Ｍ≧２）の受信アンテナである。
【００２３】
無線部２＿１〜２＿Ｍは、アンテナ１＿１〜１＿Ｍで受信した信号に対して周波数変換およびディジタル信号への変換を行う。
【００２４】
白色化回路３は、無線部２＿１〜２＿Ｍからのディジタル信号を入力し、この入力信号を白色化する。
【００２５】
情報系列抽出回路４＿１〜４＿Ｎは、全て同一の構成であり、たとえば、初段の情報系列抽出回路４＿１は、図２に示すように、ウェイト推定回路２１＿１と、信号分離回路２２＿１と、復調回路２３＿１と、尤度算出回路２４＿１と、座標変換回路２５＿１とから構成されている。情報系列抽出回路の段数Ｎは、同時にデータを送信するユーザ局数以上あることが望ましい。
【００２６】
情報系列抽出回路４＿１〜４＿Ｎの各々は、図２に示すように、入力端子ＩＮ１と、第１の出力端子ＯＵＴ１および第２の出力端子ＯＵＴ２を有し、入力端子ＩＮ１からの入力信号から、入力信号に含まれる情報系列を抽出するウェイトを推定し、推定されたウェイトを用いて信号の分離を行い、分離された信号から情報系列を再生して第一の出力端子ＯＵＴ１から出力すると共に、推定されたウェイトおよび分離された信号から、推定されたウェイトの尤度を算出し、算出された尤度に応じて、推定されたウェイトと平行する受信信号空間を縮小するように座標変換した上で第二の出力端子ＯＵＴ２から出力する。
【００２７】
なお、情報系列抽出回路４＿１〜４＿Ｎのうち最終段の情報系列抽出回路４＿Ｎについては、再生した情報系列を出力する第一の出力端子ＯＵＴ１のみを有していればよく、第二の出力端子ＯＵＴ２は不要である。
【００２８】
次に、本発明の実施形態に係るマルチユーザ受信装置１０１の動作について説明する。図１において、Ｍ本のアンテナ１＿１〜１＿Ｍで、複数のユーザからの無線信号が受信される。アンテナ１＿１〜１＿Ｍの受信信号が、それぞれ、無線部２＿１〜２＿Ｍに供給される。無線部２＿１〜２＿Ｍで、受信した信号に対して周波数変換およびディジタル信号への変換が行われる。
【００２９】
無線部２＿１〜２＿Ｍからは、Ｍ個の系列のディジタル信号が出力される。このＭ個の系列のディジタル信号が白色化回路３に供給される。白色化回路３で、この信号が白色化される。
【００３０】
白色化回路３の出力信号が多段接続された情報系列抽出回路４＿１〜４＿Ｎに供給される。情報系列抽出回路４＿１〜４＿Ｎの各々は、白色化された信号に含まれる各情報系列を抽出し、第１の出力端子ＯＵＴ１から、復調された各情報系列の信号を順次出力する。また、情報系列抽出回路４＿１〜４＿Ｎの各々は、前段のウェイト推定結果に対してウェイトの尤度を算出し、尤度に応じて推定されたウェイトと平行する受信信号空間を縮小するように座標変換して第二の出力端子ＯＵＴ２から出力し、次段の情報系列抽出回路に送る。
【００３１】
本発明の実施形態に係るマルチユーザ受信装置１０１は、白色化回路３および多段接続されたＮ個の情報系列抽出回路４１＿〜４＿Ｎにより構成され、白色化回路３において、受信信号に対して白色化処理を行い、各情報系列抽出回路４＿１〜４＿Ｎにおいて、前段のウェイト推定結果に対してウェイトの尤度を算出し、尤度に応じて推定されたウェイトと平行する受信信号空間を縮小するように座標変換を行った結果を第二の出力端子ＯＵＴ２から出力し、次段に出力するようにしている。
これにより、前段までに推定したウェイトの尤度に応じて（１）式で示した拘束条件を緩和しながら、順次、全ユーザのウェイト推定を行うことができるため、前段のウェイトに推定誤差が生じた場合でも、後段への影響を減じ、高精度な信号分離受信を実現できる。
【００３２】
次に、本発明の実施形態の白色化回路３を構成する各回路の動作を説明する。白色化回路３では、下式により、入力信号Ｘ０（ｔ）から受信相関行列Ｒｘｘを算出する。
【００３３】
【数２】
0004545663.tif 000003
【００３４】
ここで、添え字Ｈは共役転置、Ｅ［］は平均操作を表す。
【００３５】
そして、下式を満たす白色化行列Ｑを例えばコレスキー分解などを用いて計算する。
【００３６】
【数３】
0004545663.tif 000004
【００３７】
さらに、入力信号Ｘ０（ｔ）と前記白色化行列Ｑから、下式により出力信号Ｘ１（ｔ）を算出し、これを出力する。
【００３８】
【数４】
0004545663.tif 000005
【００３９】
次に、本発明の実施形態の情報系列抽出回路４＿１〜４＿Ｎを構成する各回路の説明をする。
【００４０】
情報系列抽出回路４＿１〜４＿Ｎでは全て同じ動作を行うため、以下では情報系列抽出回路４＿１の動作のみを説明する。図２において、ウェイト推定回路２１＿１では、入力信号Ｘｌ（ｔ）から、入力信号Ｘ１（ｔ）に含まれる情報系列を分離するウェイトｗ１を推定する。信号分離回路２２＿１では、入力信号Ｘ１（ｔ）とウェイト推定回路２１＿１により推定されたウェイトｗ１から、下式により信号ｙ１（ｔ）の分離を行う。
【００４１】
【数５】
0004545663.tif 000006
【００４２】
復調回路２３＿１では、抽出された信号ｙ１（ｔ）から、情報系列を再生し、第１の出力端子ＯＵＴ１へ出力する。
【００４３】
尤度算出回路２４＿１では、推定されたウェイトｗ１の尤度α１を算出する。ところで、白色化回路３により、上述の拘束条件は互いのウェイトが直交という単純な拘束条件になる。
【００４４】
【数６】
0004545663.tif 000007
【００４５】
従って、推定されたウェイトｗ１に誤差がない場合には、これと直交する空間で後段のウェイト推定を行えばよい。
【００４６】
しかしながら、一般に推定されたウェイトｗ１には誤差があり、後段のウェイトは必ずしも推定されたウェイトｗ１と直交する空間には存在しないため、推定したウェイトｗ１と平行する空間も考慮し、後段のウェイト推定を行う必要がある。
【００４７】
このような動作を実現するため、座標変換回路２５＿１では、推定されたウェイトｗ１と算出された尤度α１に基づき、下式を満たす座標変換行列Ｆ１を算出する。
【００４８】
【数７】
0004545663.tif 000008
【００４９】
ここで、Ｅは単位行列、‖‖はベクトルのノルム演算を表す。
【００５０】
そして、入力信号Ｘ１（ｔ）と座標変換行列Ｆ１から、下式により、推定したウェイトと平行する空間を尤度に応じて縮小した出力信号Ｘ２（ｔ）を算出する。
【００５１】
【数８】
0004545663.tif 000009
【００５２】
そして、算出された信号を第２の出力端子ＯＵＴ２へ出力し、推定したウェイトと平行する空間が縮小された信号を用いて、次段の処理を行う。
【００５３】
次に、ウェイト推定回路２１＿１の詳細な動作について説明する。以下では、ウェイト推定アルゴリズムにＬＳ−ＣＭＡを用いたとして説明するが、ウェイト推定アルゴリズムはこれに限定されない。ＬＳ（Ｌｅａｓｔ  Ｓｑｕａｒｅｓ）−ＣＭＡでは、信号分離後の出力信号の包絡線の歪みが最小、すなわち、下式を最小にするウェイトを推定する。
【００５４】
【数９】
0004545663.tif 000010
【００５５】
ここで、ｐ、ｑは正の整数で通常１または２をとる。
【００５６】
具体的には、Ｐ＝１、ｑ＝２の場合、図３にフローチャートで示すような処理を行い、ウェイトを推定する。
【００５７】
図３において、ステップＳ１で、初期ウェイトｗ１を設定する。次に、ステップＳ２で、ウェイトｗ１および入力信号より出力信号ｙ１（ｔ）を次のように計算する。
【００５８】
【数１０】
0004545663.tif 000011
【００５９】
次に、ステップＳ３で、出力信号ｙ１（ｔ）から次のように参照信号δ１（ｔ）を生成する。
【数１１】
0004545663.tif 000012
【００６０】
次に、ステップＳ４で、次式に従ってウェイトｗ１を推定する。
【数１２】
0004545663.tif 000013
【００６１】
ステップＳ５で、ステップＳ２〜ステップＳ４の動作が所定回数だけ繰り返されたかどうかを判断し、所定回数に達していなければ、ステップＳ２にリターンする。ステップＳ２〜ステップＳ４の動作が所定回数だけ繰り返されたら、ウェイトの推定処理を終了する。
【００６２】
なお、ＬＳ−ＣＭＡでは、ウェイトｗ１を推定するステップＳ４で、相関行列Ｒｘｘの逆行列を左から掛けるのが一般的であるが、本発明の実施形態に係るマルチユーザ受信装置１０１では、白色化回路３により相関行列Ｒｘｘが単位行列となるため、この操作は不要である。
【００６３】
次に、尤度算出回路２４＿１の詳細な動作について説明する。なお、以下の一例では、尤度を算出は、信号分離回路により分離された信号の振幅歪みの平均値に基づいて尤度を算出しているが、尤度算出回路の構成はこれに限定されない。
【００６４】
図４に示すように、尤度算出回路２４＿１は、振幅歪み検出回路３１＿１、平均化回路３２＿１、尤度変換回路３３＿１で構成される。
【００６５】
振幅歪み検出回路３１＿１は入力された信号、すなわち前記信号分離回路２２＿１により分離された信号から、下式により振幅歪みσ１を検出する。
【００６６】
【数１３】
0004545663.tif 000014
【００６７】
平均化回路３２＿１はこの振幅歪みσ１を平均化し、平均振幅歪みを得る。尤度変換回路３３＿１は平均振幅歪みを尤度に変換する。次式に尤度変換方法の一例を示すが、尤度変換方法はこれに限定されない。
【００６８】
【数１４】
0004545663.tif 000015
【００６９】
ここで、σ１バーは平均振幅歪みであり、βは正の定数である。
【００７０】
図５は、従来のマルチユーザ受信装置と本発明の実施形態に係るマルチユーザ受信装置のシミュレーション結果であって、信号分離回路の出力信号ｙｎ（ｔ）、すなわち復調回路の入力信号のＳＩＮＲの相補累積確率である。復調回路の入力信号のＳＩＮＲにより復調後の情報系列の誤り率が決まるため、本シミュレーションにより正しい情報系列が抽出される確率（情報系列抽出確率）が類推できる。なお、各ユーザのＳＩＮＲは、ウェイト推定回路により推定された全ウェイトについてのＳＩＮＲのうち最も高いＳＩＮＲと定義した。シミュレーション条件は下表のように設定した。
【００７１】
【表１】
0004545663.tif 000016
【００７２】
図５から明らかなように、従来のマルチユーザ受信装置に比較して本発明の実施形態に係るマルチユーザ受信装置は高いＳＩＮＲが得られている事が分かる。仮に、変調方式にＱＰＳＫ、誤り訂正に畳み込み符号（ｒ＝１／２，ｋ＝７）を用いた場合、ＳＩＮＲが３ｄＢ以上であれば復調後の情報系列はほぼエラーフリーとなる。
【００７３】
図５より、この条件を満たす確率は従来のマルチユーザ受信装置では約８４％、本発明の実施形態に係るマルチユーザ受信装置では約９０％であり、本発明により約６％の情報系列抽出確率向上が期待できる。
【００７４】
以上詳細に説明したように、本発明の実施形態に係るマルチユーザ受信装置では複数のユーザからの信号を分離受信する際に、前段で推定したウェイトの尤度に応じた不完全な直交化を行った後、後段のウェイト推定を行っている。このように動作させることで、前段のウェイト推定誤差が後段へ伝搬するのを防ぎ、後段のウェイト推定誤差の低下を軽減することができる。
【００７５】
本発明は、上述した実施形態に限定されるものではなく、本発明の要旨を逸脱しない範囲内で様々な変形や応用が可能である。
【産業上の利用可能性】
【００７６】
本発明は、複数のアンテナを用いて同一周波数チャネルに存在する複数のユーザからの無線信号を分離、検出するのに用いることができる。
【図面の簡単な説明】
【００７７】
【図１】本発明の実施形態に係るマルチユーザ受信装置の構成を概略的に示すブロック図である。
【図２】本発明の実施形態に係るマルチユーザ受信装置における情報系列抽出回路の構成を概略的に示すブロック図である。
【図３】本発明の実施形態に係るマルチユーザ受信装置におけるウェイトの推定の説明に用いるフローチャートである。
【図４】本発明の実施形態に係るマルチユーザ受信装置における尤度算出回路の構成を概略的に示すブロック図である。
【図５】従来のマルチユーザ受信装置および本発明に係るマルチユーザ受信装置のシミュレーション結果であって、信号分離回路の出力信号のＳＩＮＲの相補累積確率を示すグラフである。
【図６】従来のマルチユーザ受信装置の構成を概略的に示すブロック図である。
【図７】従来のマルチユーザ受信装置における情報系列抽出回路の構成を概略的に示すブロック図である。
【符号の説明】
【００７８】
１＿１〜１＿Ｍ：アンテナ、
２＿１〜２＿Ｍ：無線部、
３：白色化回路、
４＿１〜４＿Ｎ：情報系列抽出回路、
２１＿１〜２１＿Ｎ：ウェイト推定回路、
２２＿１〜２２＿Ｎ：信号分離回路、
２３＿１〜２３＿Ｎ：復調回路、
２４＿１〜２４＿Ｎ：尤度算出回路、
２５＿１〜２４＿Ｎ：座標変換回路、
３１＿１〜３１＿Ｎ：振幅歪み検出回路、
３２＿１〜３２＿Ｎ：平均化回路、
３３＿１〜３３＿Ｎ：尤度変換回路
【図１】
0004545663.tif 000017
【図２】
0004545663.tif 000018
【図３】
0004545663.tif 000019
【図４】
0004545663.tif 000020
【図５】
0004545663.tif 000021
【図６】
0004545663.tif 000022
【図７】
0004545663.tif 000023